(57)【要約】［課題］　歯間ブラシを爪楊枝のように手軽に使え，且つ，持ち運びを便利にする。［解決手段］　円筒形Ｂに保持棒兼回転棒Ａを設けその先端に突起物Ｃを設けた歯間ブラシの補助具を用いる。歯間ブラシをブラシの反対側よりＢのＡの反対側に差し込み，Ａを親指と人指指で挟みコップの水の中で２．３回往復回転動作をする事によりブラシの汚れの洗浄が出来る。Ｂに歯間ブラシを反対側より差し込めば，衣服などのポケットにペンの様に収納出来る。【選択図】　　　　　図１
0003097952.tif 000002
【実用新案登録請求の範囲】
【請求項１】
円筒形（Ｂ）の上より突き出た断面の角が丸くなった三角形または四角形の棒（Ａ）の先端の下方に山形の突起物（Ｃ）を設け，円筒形（Ｂ）の両端（イ．ロの側）より歯間ブラシの柄（１）又はキャップ（３）を差し込んだ時，その先端が円筒形（Ｂ）の真ん中あたりで固定出来る構造の歯間ブラシの補助具。
【考案の詳細な説明】
【０００１】
［考案の属する技術分野］
本考案は，市販されている人体の歯と歯の隙間を清浄する歯間ブラシに係るものであり，詳しくは歯間ブラシの補助具である。
【０００２】
［従来の技術］
従来，歯と歯の清浄には，糸ヨウジと呼ばれる図４に示すコの字状の形に糸を張り柄をつけた物や，図３　図５に示す円形にしたブラシに柄をつけた物が知られている（例えば，特開２００１−２０４５４９号　特開２０００−１７５９４２号　実開平６−１３８４２号公報参照）。
昔から使われている爪楊枝も有るが，歯周組織を痛めると言う学説がある。
【０００３】
［考案が解決しようとする課題］
従来の技術で述べたもののうち前者におては，歯は根本より上が太くなっているものが多いので，歯と歯の隙間に入れなかったり出にくかったりする問題点を有していた。
【０００４】
後者は，歯と歯の隙間にブラシを差し込む構造になっている為に歯間の清浄は容易に出来るが，ブラシの方の洗浄が水道の蛇口から水をだしぱなしで幾度も洗わなければならないという問題点を有していた。
【０００５】
本考案は，後者の歯間ブラシの問題点に鑑みてなされたものであり，その目的とするところは，水道水の無い所でも爪楊枝の様に手軽に使用が出来る様にしようとするものである。
【０００６】
［課題を解決するための手段］
上記の目的を達成する為に，本考案における歯間ブラシは補助具として円筒形Ｂの片方に保持棒兼回転棒Ａを設けたものである。
【０００７】
そして，保持棒兼回転棒Ａの断面は，円形．六角形．五角形でも良いが，図６のように変形三角形または変形四角形にする事が好ましい。
【０００８】
［考案の実施の形態］
図１において，円筒形Ｂは相手方のカャップ３の形またはカャップ３の省略により，両端の内径は６ｍｍ〜７．５ｍｍ程度，真ん中部分の内径は０．０１ｍｍ〜０．１ｍｍ程狭くなるがカャップ３または柄１の頭に傾斜がある場合には同一寸法で良い，長さは１２ｍｍ〜４０ｍｍ程度，保持棒兼回転棒Ａの長さは約２７ｍｍ程度となりプラスチックの射出成形加工により一体成形される。
【０００９】
図７は，カャップ３が省略された収納の状態で，ブラシ２の部分を円筒形Ｂの中に隠す為に円筒形Ｂは長くなる。また，ブラシの柄１より保持棒Ａの先端Ｃが出ない様にしなければならない為にブラシの柄１は長くなる。
補助具Ａ．Ｂとカャップ３は，歯間ブラシ１．２に比べて何回も使える故に，カャップ３を使用する方が省資源になると考えられる。
【００１０】
［実施例］
使用法は，カャップ３を用いた歯間ブラシ１．２と補助具Ａ．Ｂの説明をするが，カャップ３を省略した場合でも使用法に変わりはない。
図８は，補助具ＡＢを用いたカャップ付き歯間ブラシの収納の状態を示す断面図であり，図９の様に衣服などのポケットに保持棒兼回転棒Ａが保持棒の役目をして固定する事が出来る。
図１０は，歯間を歯間ブラシで清浄する場合を示す図で，歯間ブラシ１．２の柄１の方からカャップ３に差し込み，カャップ３の頭を円筒形ＢにＡの反対側（図１のロの方向）に差し込み，ブラシ２を歯と歯の隙間に差し込みハニの方向に往復させて歯間の清浄をする。
【００１１】
図１１〜図１３は，汚れた歯間ブラシ１．２のブラシ２を洗浄する方法で，コップの上部にブラシ２の長さより少し大き目の空間を設けて水を入れ，図１１の様に親指と人差指で保持棒兼回転棒Ａを挟み水の中にブラシ２を入れ，図１１〜図１３の様に指を動かす動作を２．３回往復さす事によりブラシ２の汚れは取れる。
洗浄方法は遠心式の為，水で取れた汚れは再びブラシ２に付く事はない。
それを何度か繰返し歯間の清浄を終われば，今度はコップの空間部にて，図１１〜図１３の動作をすればブラシ２の水分は遠心力によって飛び散り水滴が落ちない程度になるので，図７図８図９の様にしてポケットに収納する事も出来る。
【００１２】
［考案の効果］
本考案は，上述のとうり構成されているので，次に記戴する効果を奏する。
【００１３】
請求項１の歯間ブラシの補助具を歯間ブラシに取りつける事により，コップの水の中でブラシの洗浄が簡単に出来る。歯間ブラシだけでも，コップの水の中でかき回す事は出来るが，ブラシの汚れは取れない。
コップの水でブラシの洗浄が出来るという事は，外食後でも歯間の清浄が出来るという事である。レストランや喫茶店ではコップの水がでるし，大衆食堂ではお茶が出る。上部を少し飲んで上部に空間を作れば，ブラシの洗浄も出来るし，ブラシの脱水も出来る。
使用後は衣服などのポケットに収納することが出来る。
【図面の簡単な説明】
【図１】歯間ブラシの補助具を示した断面図である。
【図２】歯間ブラシをカャップに収納した状態を示した断面図である。
【図３】歯間ブラシとカャップを使用状態にセットを示した斜視図である。
【図４】糸ヨウジを示した平面図である。
【図５】歯間ブラシを示した斜視図である。
【図６】歯間ブラシの補助具の保持棒兼回転棒を示した断面図である。
【図７】歯間ブラシのカャップを省略した歯間ブラシを，歯間ブラシの補助具に収納した状態を示した断面図である。
【図８】歯間ブラシをカャップに収納し，それを歯間ブラシの補助具に収納した状態を示した断面図である。
【図９】図７．図８の補助具を，衣服などのポケットに収納を示した平面図である。
【図１０】歯間ブラシ．カャップ．歯間ブラシの補助具を使用状態にセットを示した平面図である。
【図１１】歯間ブラシのブラシをコップの水の中で洗浄する動作の始めの部分を示した平図面である。
【図１２】図１１より中間ぐらいまで動いたを示した平面図である。
【図１３】図１２より動いて，動作終了を示した平面図である。
図１１．図１２．図１３は，迅速に動かさねばならないので一瞬を示した平面図である。
【符号の説明】
Ａ　歯間ブラシの補助具の保持棒兼回転棒
Ｂ　歯間ブラシの補助具の円筒部分
Ｃ　保持棒兼回転棒の先端の山形の突起部分
１　歯間ブラシの柄
２　歯間ブラシのブラシ部分
３　歯間ブラシのカャップ
イ　歯間ブラシの柄またはカャップを収納状態に差し込む方向
ロ　歯間ブラシの柄またはカャップを使用状態にセットする方向
ハ　ニ　　歯間にブラシを差し込み動かす方向
【図１】
0003097952.tif 000003
【図２】
0003097952.tif 000004
【図３】
0003097952.tif 000005
【図４】
0003097952.tif 000006
【図５】
0003097952.tif 000007
【図６】
0003097952.tif 000008
【図７】
0003097952.tif 000009
【図８】
0003097952.tif 000010
【図９】
0003097952.tif 000011
【図１０】
0003097952.tif 000012
【図１１】
0003097952.tif 000013
【図１２】
0003097952.tif 000014
【図１３】
0003097952.tif 000015
【手続補正書】
【提出日】平成15年6月12日(2003.6.12)
【手続補正１】
【補正対象書類名】明細書
【補正対象項目名】請求項１
【補正方法】変更
【補正の内容】
【請求項１】
円筒形（Ｂ）の上より突き出た断面の角が丸くなった三角形または四角形の棒（Ａ）の先端の下方に山形の突起物（Ｃ）を設け，円筒形（Ｂ）の両端（イ．ロの側）より歯間ブラシの柄（１）又はキャップ（３）を差し込んだ時，その先端が円箇形（Ｂ）の外に出ない様に固定出来る構造の歯間ブラシの補助具。
【手続補正書】
【提出日】平成15年6月16日(2003.6.16)
【手続補正１】
【補正対象書類名】明細書
【補正対象項目名】０００３
【補正方法】変更
【補正の内容】
【０００３】
［考案が解決しようとする課題］
従来の技術で述べたもののうち前者に於ては，歯は根本より上が太くなっているものが多いので，歯と歯の隙間に入れなかったり出にくかったりする問題点を有していた。